(57)【要約】【課題】各種電子機器の操作に用いられる導光シート及びこれを用いた可動接点体に関し、製作が容易で、良好な照光が可能なものを提供することを目的とする。【解決手段】複数の発光部２２Ａや２２Ｂの周囲に形成された略帯状の切欠部２３Ａや２３Ｂに、内方と外方を連結する複数の桟部２４Ａや２４Ｂを形成することによって、導光シート２５を可動接点体２７に貼付する際、発光部２２Ａや２２Ｂ周囲の捲れや折曲等が生じないため、製作が容易に行えると共に、発光ムラ等のない良好な照光が可能な導光シート及びこれを用いた可動接点体を得ることができる。【選択図】図１
2010027534.tif 000002
【特許請求の範囲】
【請求項１】
フィルム状の基材と、この基材に形成された凹凸状の複数の発光部と、上記発光部の周囲に形成された略帯状の複数の切欠部からなり、上記切欠部に内方と外方を連結する複数の桟部を形成した導光シート。
【請求項２】
請求項１記載の導光シートの発光部下面に、略ドーム状で導電金属薄板製の可動接点を装着した可動接点体。
【発明の詳細な説明】
【技術分野】
【０００１】
本発明は、主に各種電子機器の操作に使用される導光シート及びこれを用いた可動接点体に関するものである。
【背景技術】
【０００２】
近年、各種電子機器、特に携帯電話等の携帯端末機器においては、周囲が暗い場合でも、押釦や表示シート等の識別や操作が容易に行えるように、発光ダイオードやＥＬ素子等を発光させて操作部の照光を行うものが増えており、これらの機器に用いられる可動接点体やスイッチにも、使い易く多様な照光を行えるものが求められている。
【０００３】
このような従来の導光シートや可動接点体について、図５〜図７を用いて説明する。
【０００４】
なお、これらの図面は構成を判り易くするために、部分的に寸法を拡大して表している。
【０００５】
図５は従来のスイッチの断面図、図６は同平面図であり、同図において、１は光透過性でフィルム状の基材で、この基材１上面の所定箇所には、凹凸状の複数の発光部２が設けられている。
【０００６】
そして、これらの発光部２には、例えば、発光部２Ａの周囲には略帯状で略コの字状の切欠部３Ａが、発光部２Ｂの周囲には略帯状で略Ｌ字状の切欠部３Ｂが、各々設けられて導光シート４が形成されている。
【０００７】
また、５は光透過性でフィルム状のベースシート、６は略ドーム状で導電金属薄板製の可動接点で、ベースシート５外周の所定箇所が、接着剤（図示せず）によって導光シート４下面に貼付されると共に、複数の可動接点６が発光部２Ａや２Ｂ等の下方のベースシート５下面に貼付されて、可動接点体７が構成されている。
【０００８】
さらに、８は上下面に複数の配線パターン（図示せず）が形成された配線基板で、上面には略円形状の中央固定接点９Ａと、これを囲む略馬蹄状または略リング状の外側固定接点９Ｂから形成された、複数の固定接点９が設けられている。
【０００９】
また、この配線基板８上面に可動接点体７が、各々の可動接点６の外周が外側固定接点９Ｂ上に載置され、可動接点６の下面中央が中央固定接点９Ａと所定の間隙を空けて、対向するように貼付されている。
【００１０】
そして、１０は発光ダイオード等の発光素子で、図６に示すように、複数の発光素子１０Ａや１０Ｂが導光シート４側方の配線基板８上面に実装され、基材１の端面に発光面を向けて配置されている。
【００１１】
さらに、１１は光透過性でフィルム状の表示シートで、下面に印刷等によって形成された遮光部１１Ａの所定箇所が、文字や記号等の形状にくり抜かれて複数の表示部１１Ｂが形成され、この表示部１１Ｂが導光シート４の発光部２Ａや２Ｂ等の上方に配置されて、スイッチが構成されている。
【００１２】
そして、このように構成されたスイッチが、電子機器の操作面に装着されると共に、複数の中央固定接点９Ａや外側固定接点９Ｂ、複数の発光素子１０が配線パターン等を介して、機器の電子回路（図示せず）に接続される。
【００１３】
以上の構成において、表示シート１１の所定の表示部１１Ｂを下方へ押圧操作すると、導光シート４やベースシート５が撓んで可動接点６の略ドーム状の中央部が押圧され、所定の押圧力が加わると、可動接点６がクリック感を伴って下方へ弾性反転し、可動接点６の下面中央が中央固定接点９Ａに接触することによって、中央固定接点９Ａと外側固定接点９Ｂが、可動接点６を介して電気的に接続された状態となる。
【００１４】
また、表示シート１１への押圧力を解除すると、弾性復帰力によって可動接点６が上方へ弾性反転し、可動接点６の下面中央が中央固定接点９Ａから離れて、中央固定接点９Ａと外側固定接点９Ｂが電気的に切断された状態となる。
【００１５】
そして、このような固定接点９の電気的接離に応じて、機器の各機能の切換えが行われると共に、機器の電子回路から発光素子１０に電源が供給されると、複数の発光素子１０Ａや１０Ｂが発光し、例えば、発光素子１０Ａの発光色が橙色、発光素子１０Ｂが緑色であった場合には、橙色の光が上端面、緑色の光が右端面から導光シート４内に入射して、基材１内を反射しながら内方へ進む。
【００１６】
さらに、この光が基材１上面の複数の発光部２Ａや２Ｂ、２Ｃで拡散され反射して、表示シート１１の表示部１１Ｂを下方から照光し、複数の表示部１１Ｂが、例えば、発光部２Ａ上方の表示部１１Ｂは橙色に、発光部２Ｂや２Ｃ上方の表示部１１Ｂは緑色に照光されることによって、周囲が暗い場合でも、表示部１１Ｂの文字や記号等の表示が識別でき、操作を容易に行うことが可能なようになっている。
【００１７】
つまり、表示シート１１を押圧操作することによって導光シート４上面を押圧し、可動接点６を弾性反転させて固定接点９の電気的接離を行うと共に、発光素子１０の光を端面から導光シート４内に導入し、複数の発光部２を発光させることによって、表示シート１１の複数の表示部１１Ｂを照光するように構成されている。
【００１８】
また、この時、例えば、発光素子１０Ａと１０Ｂの発光色が異なり、上記のように発光部２Ａと２Ｂ、２Ｃが異なる色で発光している場合や、発光部２Ａの箇所は消灯し、他の発光部２Ｂや２Ｃは点灯している場合等に、複数の発光部２の周囲に形成された切欠部３Ａや３Ｂ等によって光が遮断され、発光色の異なる光が導光シート４内で混合され、混ざった発光色で照光されることや、消灯しているはずの箇所が他の箇所を照光している光によって、うっすらとではあるが照光されることのないようになっている。
【００１９】
すなわち、複数の発光部２の周囲に複数の切欠部３Ａや３Ｂ等を設け、例えば、発光部２Ａから左右や下方へ漏出する橙色の光は、略コの字状の切欠部３Ａで、発光部２Ｂから左方や下方へ漏出する緑色の光は、略Ｌ字状の切欠部３Ｂで各々遮断することによって、混ざった発光色での照光や、消灯している箇所の照光が行われることのないように構成されているものであった。
【００２０】
なお、この出願の発明に関連する先行技術文献情報としては、例えば、特許文献１が知られている。
【特許文献１】特開２００７−８７７４９号公報
【発明の開示】
【発明が解決しようとする課題】
【００２１】
しかしながら、上記従来の可動接点体７やスイッチにおいては、照光時の光の混合や漏れを防ぐために、発光部２Ａや２Ｂの周囲に、略コの字状の切欠部３Ａや略Ｌ字状の切欠部３Ｂが形成されているため、導光シート４を可動接点体７上面に貼付する際、図７の平面図に示すように、発光部２Ａや２Ｂの周囲の基材１が上方や下方へ捲れて貼付しづらくなると共に、この時に折曲等が発生すると、これによって照光時に発光ムラが生じ易くなってしまうという課題があった。
【００２２】
本発明は、このような従来の課題を解決するものであり、製作が容易に行え、良好な照光が可能な導光シート及びこれを用いた可動接点体を提供することを目的とする。
【課題を解決するための手段】
【００２３】
上記目的を達成するために本発明は、以下の構成を有するものである。
【００２４】
本発明の請求項１に記載の発明は、複数の発光部の周囲に形成された略帯状の切欠部に、内方と外方を連結する複数の桟部を形成して導光シートを構成したものであり、複数の桟部によって発光部とその周囲が連結され、導光シートを可動接点体等に貼付する際、発光部周囲の捲れや折曲等が生じないため、製作が容易に行えると共に、発光ムラ等のない良好な照光が可能な導光シートを得ることができるという作用を有する。
【００２５】
請求項２に記載の発明は、請求項１記載の導光シートの発光部下面に、略ドーム状で導電金属薄板製の可動接点を装着して可動接点体を構成したものであり、製作が容易で、良好な照光が可能な可動接点体を実現することができるという作用を有する。
【発明の効果】
【００２６】
以上のように本発明によれば、製作が容易で、良好な照光が可能な導光シート及びこれを用いた可動接点体を実現することができるという有利な効果が得られる。
【発明を実施するための最良の形態】
【００２７】
以下、本発明の実施の形態について、図１〜図４を用いて説明する。
【００２８】
なお、これらの図面は構成を判り易くするために、部分的に寸法を拡大して表している。
【００２９】
また、背景技術の項で説明した構成と同一構成の部分には同一符号を付して、詳細な説明を簡略化する。
【００３０】
（実施の形態）
図１は本発明の一実施の形態による可動接点体の断面図、図２は同平面図であり、同図において、２１はフィルム状でポリエチレンテレフタレートやポリカーボネート、ポリウレタン、シリコーン等の可撓性を有する光透過性の基材で、この基材２１上面の所定箇所には、印刷等によって半透明なポリエステルやエポキシ等の凹凸状の複数の発光部２２が設けられている。
【００３１】
そして、これらの発光部２２には、例えば、発光部２２Ａの周囲には略帯状で略コの字状の切欠部２３Ａが、発光部２２Ｂの周囲には略帯状で略Ｌ字状の切欠部２３Ｂが各々設けられると共に、これらの切欠部２３Ａや２３Ｂには、基材２１の内方と外方を連結する複数の桟部２４Ａや２４Ｂが所定の間隔で形成されて、導光シート２５が構成されている。
【００３２】
また、５は光透過性でフィルム状のベースシート、６は略ドーム状で銅合金や鋼等の導電金属薄板製の可動接点で、ベースシート５外周の所定箇所が、接着剤（図示せず）によって導光シート２５下面に貼付されると共に、複数の可動接点６が発光部２２Ａや２２Ｂ等の下方の、ベースシート５下面に貼付されている。
【００３３】
さらに、２６はポリエチレンテレフタレート等のフィルム状のセパレータで、このセパレータ２６がベースシート５下面全面を覆うように貼付され、保管時や搬送時に可動接点６下面に塵埃等が付着しないようにして、可動接点体２７が構成されている。
【００３４】
なお、このように導光シート２５を可動接点体２７に貼付する際、導光シート２５の発光部２２Ａの周囲には略帯状で略コの字状の切欠部２３Ａが、発光部２２Ｂの周囲には略帯状で略Ｌ字状の切欠部２３Ｂが各々形成されているが、これらは複数の桟部２４Ａや２４Ｂによって内方と外方が連結されているため、発光部２２Ａや２２Ｂの周囲の基材２１が上方や下方へ捲れないようになっている。
【００３５】
つまり、複数の発光部２２Ａや２２Ｂの周囲に形成された略帯状の切欠部２３Ａや２３Ｂに、内方と外方を連結する複数の桟部２４Ａや２４Ｂを所定の間隔で設けることによって、導光シート２５を可動接点体２７に貼付する際、発光部２２Ａや２２Ｂ周囲の基材２１の捲れや折曲等が生じず、製作が容易に行えると共に、折曲等により発光部２２Ａや２２Ｂに折り目等がつかないように構成されている。
【００３６】
また、図３はこのような可動接点体２７を用いたスイッチの断面図であり、同図において、８はポリエチレンテレフタレートやポリカーボネート等のフィルム状、または紙フェノールやガラス入りエポキシ等の板状の配線基板で、上下面に銅等によって複数の配線パターン（図示せず）が形成されると共に、上面には銅やカーボン等によって、略円形状の中央固定接点９Ａと、これを囲む略馬蹄状または略リング状の外側固定接点９Ｂから形成された、複数の固定接点９が設けられている。
【００３７】
そして、この配線基板８上面にセパレータ２６を剥離した可動接点体２７が、各々の可動接点６の外周が外側固定接点９Ｂ上に載置され、可動接点６の下面中央が中央固定接点９Ａと所定の間隙を空けて、対向するように貼付されている。
【００３８】
また、１０は発光ダイオード等の発光素子で、複数の発光素子１０が導光シート２５側方の配線基板８上面に実装され、例えば図２に示すように、発光素子１０Ａが発光部２２Ａの上側方、発光素子１０Ｂが発光部２２Ｂや２２Ｃの右側方に、基材２１の端面に発光面を向けて配置されている。
【００３９】
さらに、１１は光透過性でフィルム状の表示シートで、下面に印刷等によって形成された遮光部１１Ａの所定箇所が、文字や記号等の形状にくり抜かれて複数の表示部１１Ｂが形成され、この表示部１１Ｂが導光シート２５の発光部２２Ａや２２Ｂ等の上方に配置されて、スイッチが構成されている。
【００４０】
そして、このように構成されたスイッチが、電子機器の操作面に装着されると共に、複数の中央固定接点９Ａや外側固定接点９Ｂ、複数の発光素子１０が配線パターン等を介して、機器の電子回路（図示せず）に接続される。
【００４１】
以上の構成において、表示シート１１の所定の表示部１１Ｂを下方へ押圧操作すると、導光シート２５やベースシート５が撓んで可動接点６の略ドーム状の中央部が押圧され、所定の押圧力が加わると、可動接点６がクリック感を伴って下方へ弾性反転し、可動接点６の下面中央が中央固定接点９Ａに接触することによって、中央固定接点９Ａと外側固定接点９Ｂが、可動接点６を介して電気的に接続された状態となる。
【００４２】
また、表示シート１１への押圧力を解除すると、弾性復帰力によって可動接点６が上方へ弾性反転し、可動接点６の下面中央が中央固定接点９Ａから離れて、中央固定接点９Ａと外側固定接点９Ｂが電気的に切断された状態となる。
【００４３】
そして、このような固定接点９の電気的接離に応じて、機器の各機能の切換えが行われると共に、機器の電子回路から発光素子１０に電源が供給されると、複数の発光素子１０Ａや１０Ｂが発光し、例えば、発光素子１０Ａの発光色が橙色、発光素子１０Ｂが緑色であった場合には、橙色の光が上端面、緑色の光が右端面から導光シート２５内に入射して、基材２１内を反射しながら内方へ進む。
【００４４】
さらに、この光が基材２１上面の複数の発光部２２Ａや２２Ｂ、２２Ｃで拡散され反射して、表示シート１１の表示部１１Ｂを下方から照光し、複数の表示部１１Ｂが、例えば、発光部２２Ａ上方の表示部１１Ｂは橙色に、発光部２２Ｂや２２Ｃ上方の表示部１１Ｂは緑色に照光されることによって、周囲が暗い場合でも、表示部１１Ｂの文字や記号等の表示が識別でき、操作を容易に行うことが可能なようになっている。
【００４５】
つまり、表示シート１１を押圧操作することによって導光シート２５上面を押圧し、可動接点６を弾性反転させて固定接点９の電気的接離を行うと共に、発光素子１０の光を端面から導光シート２５内に導入し、複数の発光部２２を発光させることによって、表示シート１１の複数の表示部１１Ｂを照光するように構成されている。
【００４６】
また、この時、例えば、発光素子１０Ａと１０Ｂの発光色が異なり、上記のように発光部２２Ａや２２Ｂ、２２Ｃが異なる色で発光している場合や、発光部２２Ａの箇所は消灯し、他の発光部２２Ｂや２２Ｃは点灯している場合等に、複数の発光部２２の周囲に形成された切欠部２３Ａや２３Ｂ等によって光が遮断され、発光色の異なる光が導光シート２５内で混合され、混ざった発光色で照光されることや、消灯しているはずの箇所が他の箇所を照光している光によって、うっすらとではあるが照光されることのないようになっている。
【００４７】
すなわち、複数の発光部２２の周囲に複数の切欠部２３Ａや２３Ｂ等を設け、例えば、発光部２２Ａから左右や下方へ漏出する橙色の光は、略コの字状の切欠部２３Ａで、発光部２２Ｂから左方や下方へ漏出する緑色の光は、略Ｌ字状の切欠部２３Ｂで各々遮断することによって、混ざった発光色での照光や、消灯している箇所の照光が行われることのないように構成されている。
【００４８】
さらに、これら切欠部２３Ａや２３Ｂには、内方と外方を連結する複数の桟部２４Ａや２４Ｂが所定の間隔で設けられ、上述したように、導光シート２５を可動接点体２７に貼付する際、発光部２２Ａや２２Ｂ周囲の基材２１の捲れや折曲等によって、発光部２２Ａや２２Ｂに折り目等が生じないようになっているため、発光ムラ等のない良好な照光が行えるようになっている。
【００４９】
なお、以上の説明のように、切欠部２３Ａや２３Ｂに二つの桟部２４Ａや２４Ｂではなく、一つの桟部２４Ａや２４Ｂを設けた構成としても、導光シート２５の貼付時に、発光部２２Ａや２２Ｂ周囲の基材２１全体の大きな捲れを防ぐことは可能であるが、上記のように複数の桟部２４Ａや２４Ｂを所定の間隔で設けることによって、より確実に発光部２２Ａや２２Ｂ周囲の捲れや折曲等を防ぎ、発光ムラ等のない良好な照光を行うことができる。
【００５０】
さらに、図４の平面図に示すように、切欠部２３Ａや２３Ｂにより多くの、例えば、六つの桟部２４Ａや四つの桟部２４Ｂを設けることで、発光部２２Ａや２２Ｂ周囲の捲れや折曲等が殆んどない状態で、導光シート２５を可動接点体２７に貼付することが可能となる。
【００５１】
また、これらの桟部２４Ａや２４Ｂは、幅寸法が０．１〜１ｍｍ前後の切欠部２３Ａや２３Ｂに対し、通常１〜５ｍｍ前後の細い幅寸法に形成されているため、桟部２４Ａや２４Ｂからの光の漏出は殆んどないが、発光素子１０を増やしより明るく照光する場合等には、図４に示すように、複数の桟部２４Ａや２４Ｂの外方または内方に複数の切欠部２３Ｃを形成し、これらによって漏出した光を遮断することで、光の漏出をほぼ完全に防ぐことができる。
【００５２】
このように本実施の形態によれば、複数の発光部２２Ａや２２Ｂの周囲に形成された略帯状の切欠部２３Ａや２３Ｂに、内方と外方を連結する複数の桟部２４Ａや２４Ｂを形成することによって、導光シート２５を可動接点体２７に貼付する際、発光部２２Ａや２２Ｂ周囲の捲れや折曲等が生じないため、製作が容易に行えると共に、発光ムラ等のない良好な照光が可能な導光シート及びこれを用いた可動接点体を得ることができるものである。
【００５３】
なお、以上の説明では、可動接点６上方の導光シート２５の基材２１上面に、印刷によって複数の発光部２２を形成した構成について説明したが、上面ではなく基材２１下面に発光部２２を形成した構成としても本発明の実施は可能であり、また、印刷以外にも貼付やプレス加工、成形加工等、様々な方法によって凹凸状の発光部２２の形成は可能である。
【００５４】
さらに、以上の説明では、下面に複数の可動接点６が貼付されたベースシート５を、導光シート２５の下面に貼付した構成について説明したが、ベースシート５をなくし、導光シート２５の下面に複数の可動接点６を直接貼付した構成とすれば、全体の構成部品数を減らし、可動接点体をより簡易で安価なものとすることができる。
【産業上の利用可能性】
【００５５】
本発明による導光シート及びこれを用いた可動接点体は、製作が容易で、良好な照光が可能なものが得られ、主に各種電子機器の操作用として有用である。
【図面の簡単な説明】
【００５６】
【図１】本発明の一実施の形態による可動接点体の断面図
【図２】同平面図
【図３】同スイッチの断面図
【図４】同他の実施の形態による平面図
【図５】従来のスイッチの断面図
【図６】同平面図
【図７】同平面図
【符号の説明】
【００５７】
５  ベースシート
６  可動接点
８  配線基板
９  固定接点
９Ａ  中央固定接点
９Ｂ  外側固定接点
１０、１０Ａ、１０Ｂ  発光素子
１１  表示シート
１１Ａ  遮光部
１１Ｂ  表示部
２１  基材
２２、２２Ａ、２２Ｂ、２２Ｃ  発光部
２３Ａ、２３Ｂ、２３Ｃ  切欠部
２４Ａ、２４Ｂ  桟部
２５  導光シート
２６  セパレータ
２７  可動接点体
【図１】
2010027534.tif 000003
【図２】
2010027534.tif 000004
【図３】
2010027534.tif 000005
【図４】
2010027534.tif 000006
【図５】
2010027534.tif 000007
【図６】
2010027534.tif 000008
【図７】
2010027534.tif 000009